(57)【要約】【課題】  簡単に採血針ペンに使用者の氏名を標示し、他人の誤用を避けることが可能な採血針ペンの使用者氏名の標示方法及びその製品を提供する【解決手段】  採血針ペン１０の外殻構造には防塵キャップ１１、前蓋１２、透明筆身１３及び後端蓋１４から構成される。また別に針２０、ばね２１及び針固定台２２が設けられて採血針ペンの外殻内に詰め込まれる。透明な材料により成形された筆身にはジャケット１３３が設けられ、中空部の末端には斜めの嵌め縁１３４が設置され、メモ用紙３０に氏名が標示されたらジャケット１３３に挿入する。針固定台２２の末端を透明筆身中央の魚眼孔１３２に組み込み、そしてばね２１を取り付けて針固定台２２の大直径嵌め縁２２１をばねに当て付ける。更に入れ替え可能な針２０を針固定台２２前端の孔２２２に嵌め付け、筆身にある複数の弾性嵌めほぞ１３１を前蓋１２内壁の凹陥長溝１２３内に組み込み定位する。【選択図】    図２
2005160634.tif 000002
【特許請求の範囲】
【請求項１】
針ペンの使用者氏名の標示方法であって、それは採血針ペンの殻体に透視可能な窓部が設けられ、かつ殻体内部にジャケット部が形成され、メモ用紙と合わせて使用者の氏名、使用期日、測定データ等明細資料を記入し、そのメモ用紙を曲げて殻体内部のジャケット部に挿入し、更に底端蓋で蓋をすることよって、個人使用の採血針ペンは他人との混同共用を回避可能であることを特徴とする採血針ペンの使用者氏名の標示方法及びその製品。
【請求項２】
殻体に設けられている透視可能な窓部は、殻体を透明な材料で作ることにより透視性を有するものを含むことを特徴とする請求項１記載の採血針ペンの使用者氏名の標示方法及びその製品。
【請求項３】
殻体に設けられている透視可能な窓部は、殻体を空かした枠口にして外から見える判明性を有するものを含むことを特徴とする請求項１記載の採血針ペンの使用者氏名の標示方法及びその製品。
【請求項４】
殻体が透明な材料から作られた場合、そのジャケットは単一の中空部によって入れ替えることが可能であり、メモ用紙は曲げられて透明筆身の中空部に挿入され、外から判明可能であることを特徴とする請求項１記載の採血針ペンの使用者氏名の標示方法及びその製品。
【請求項５】
採血針ペンの使用者氏名の標示方法であって、それは採血針ペンの殻体に透視可能な窓部が設けられ、かつ殻体内部にジャケット部が形成され、メモ用紙と合わせて使用者の氏名、使用期日、測定データ等明細資料を記入し、そのメモ用紙を曲げて殻体内部のジャケット部に挿入し、更に底端蓋で蓋をし、採血針ペンの先端には嵌め付け可能な防塵カバーが設けられ、それによって個人使用の採血針ペンは他人との混同共用を回避可能であることを特徴とする採血針ペンの使用者氏名の標示方法及びその製品。
【請求項６】
採血針ペンの使用者氏名の標示製品は採血針ペン及びメモ用紙から構成され、
採血針ペンの構造は防塵キャップ、前蓋、透明筆身及び後端蓋、針、ばね及び針固定台が設けられて採血針ペンの筆身内に詰め込まれ、標示用のメモ用紙は曲げられて透明筆身の内部に挿入され、外から見ると使用者の氏名を簡単に判明可能であることを特徴とする採血針ペンの使用者氏名の標示方法及びその製品。
【請求項７】
防塵キャップの内環壁には凹溝が設けられ、それは前蓋の環凸縁に蓋をして適当な緊密度が得られることを特徴とする請求項６記載の採血針ペンの使用者氏名の標示方法及びその製品。
【請求項８】
前蓋、透明筆身、後端蓋、針固定台、ばね及び針が設けられ、
前蓋は、前端の中央には透かし孔が設けられ、後端の内壁には凹陥長溝が設けられ、
透明筆身は、前端には弾性ほぞが設けられ、前縁中央には魚眼孔が設けられてあり、透明な材料で作られた筆身にはジャケットが設けられ、中空部の末端には斜めの嵌め縁が設置され、
後端蓋は、覆いであり、閉鎖端及び多数の弾性ほぞが設けられ、
針固定台は、末端は棒状で、台には大直径嵌め縁が設けられ、前端には凹陥孔が設けられてある。
針は、台及び突き出た先端を有し、
組み合わせる場合、先ず針固定台の末端を透明筆身中央の魚眼孔に組み込み、そしてばねを取り付けて針固定台の大直径嵌め縁をばねに当て付け、更に針を針固定台前端の孔に嵌め付け、筆身にある複数の弾性嵌めほぞを前蓋内壁の凹陥長溝内に組み込み定位置して組み合わせることを特徴とする請求項６記載の採血針ペンの使用者氏名の標示方法及びその製品。
【発明の詳細な説明】
【技術分野】
【０００１】
本発明は、採血針ペンの使用者氏名の標示方法及びその製品に関する。
【背景技術】
【０００２】
医療用採血針の主要は固定台本体及び本体中央に設けられてある針が含まれ、現在使用されている針の固定台は一般にプラスチック材により形成され、一端は金属針の結合に供されて先端が突き出し露出している。実際使用時は使い捨て方式に設定され、すなわち各患者に対して採血を行ったらそれを捨てて再使用せず、こうすれば使用された採血針は医療廃棄物のゴミとなる。これらは集めて一般のゴミと一緒に処理することができなく、国家標準に準じて特定医療廃棄物として焼却処理を行わなければならない。そのために廃棄された大量の採血針は環境及び後続の処理に対して大きなコストの負担になる。
【０００３】
これに対し、市場に於いて個人の連続使用可能な採血針ペンの製品が開発されている。例えば前に登録請求したアメリカ第０９／２５５９１８番「痛みの少ない採血装置」、アメリカ第０９／２５５８３０番「連接器が釈放可能な採血装置」等がある。それらは採血針を内蔵する採血装置を開示し、手持ちに便利な長いペン状のものが設けられ、それの採血針は使用後採血装置内に縮み込めるように構成されている。繰り返し使用可能でさらに収納携帯時に不注意に傷付いてしまうことがなく、それは個人独自の連続使用に属することが可能で、環境保全の効果が得られる。
【発明の開示】
【発明が解決しようとする課題】
【０００４】
しかしながら上記構造では採血針を複数回の繰り返し使用を可能にして使い捨てを免れるが、一般に自己採血測定を行う必要のある例えば糖尿病患者は、その糖尿病は遺伝性の病気であるため、同じ家庭に於いて、数人の家族が不定期に採血を行う可能性がある。そのために個人が使用する採血針ペンに使用者の名前標示が設けられれば最もよく、例えば大型の老人福祉施設、病院…等にも同じく採血する必要のある患者が多く、かつ個人が使用する特定の採血針に氏名が明らかに標示されているかを注意し、入り交ざって病気の感染が起こることを防止しなければならない。
【０００５】
現在市販されている採血針ペンには簡単に使用者の氏名を標示する方法及び構造のあるものがなく、そのために前記のような誤認による共用の恐れはいまだに完全に消されていない。
【０００６】
したがって本発明の目的は、簡単に採血針ペンに使用者の氏名を標示し、他人の誤用を避けることが可能な採血針ペンの使用者氏名の標示方法及びその製品を提供することにある。
【０００７】
本発明の次の目的は個人使用の採血針を繰り返し使用可能とし、購入費用を節約し、かつ医療廃棄物の発生を減らして環境保全に寄与する採血針ペンの使用者氏名の標示方法及びその製品を提供することにある。
【０００８】
本発明のもう一つの目的は長い間使わない場合は汚れ防止の機能が発揮可能な採血針ペンの使用者氏名の標示方法及びその製品を提供することにある。
【課題を解決するための手段】
【０００９】
上述の目的を達成するために本発明の請求項に記載の採血針ペンの使用者氏名の標示方法及びその製品は、採血針ペンの殻体に透視できる窓部が設けられ、または殻体を透明の材質により成形する。かつ殻体内部にジャケット部が形成され、メモ用紙と合わせて使用者の氏名、使用期日、測定データ等明細資料を記入する。そのメモ用紙を曲げて殻体内部のジャケット部に挿入し、更に底端蓋で蓋をする。採血針ペンの先端には嵌め付け可能な防塵カバーが設けられる。それによって個人使用の採血針ペンは他人との混同共用を避けることが可能で、かつ使い捨て採血針の購入金額の浪費を節約し、環境保全の効果が得られる。それと同時に採血針ペンの先端に嵌め付け可能な防塵キャップを設け、長い間使わない場合は汚れ防止の機能が発揮できるようにし、使用者の健康は更に有利になる。
【発明を実施するための最良の形態】
【００１０】
以下、本発明の実施例を図面に基づいて説明する。
図１、図２に示すように、本発明の実施例による採血針ペンの使用者氏名の標示方法及びその製品は採血針ペン１０及びメモ用紙３０から構成される。
採血針ペン１０の外殻構造には防塵キャップ１１、前蓋１２、透明筆身１３及び後端蓋１４から構成される。また別に針２０、ばね２１及び針固定台２２が設けられて採血針ペンの外殻内に詰め込まれ、標示用のメモ用紙３０は曲げられて透明筆身１３の内部に挿入され、外から見ると使用者の氏名を簡単に判明可能である。
【００１１】
図２、図３に示すように、本実施例全体の採血針ペン１０の具体的構造に於いて、防塵キャップ１１の内環壁には前蓋１２先端の環凸縁１２１に蓋して適当な緊密度が得られる凹溝１１１が設けられ、防塵キャップ１１の外縁には粗い紋筋１１２及び凹陥部が設けられ、指による?み引き抜きを便利にする。
【００１２】
図３に示すように、前蓋１２の先端中央にはすかし孔１２２が設けられ、針が露出して採血可能とし、前蓋１２の後端内壁には凹陥長溝１２３が設けられている。
透明筆身１３の前端には多数の弾性ほぞ１３１が設けられ、前縁中央には魚眼孔１３２が設けられ、透明な材料により成形された筆身にはジャケット１３３が設けられ、中空部の末端には斜めの嵌め縁１３４が設置され、メモ用紙３０に氏名が標示されたらジャケット１３３に挿入する。内部に入れてあるメモ用紙の注記が外から見えるようにするため、殻体は透明な材料により成形されるが、ジャケット部を単一の中空部によって入れ替えることも可能であり、それは同じく判明性を有する。透明な材料により成形された筆身は適用方法の一種であり、例えば筆身の殻体を空かした枠口に設けても（示されていない）、外から見えて判明性があるので、それも同等効果が得られる。
【００１３】
後端蓋１４は覆いであり、それには閉鎖端及び多数の弾性ほぞ１４１を有し、透明筆身１３末端の斜め角に沿って嵌め縁１３４に滑り込み、嵌め付けることが可能である。
【００１４】
それを組み合せる場合、先ず針固定台２２の末端を透明筆身中央の魚眼孔１３２に組み込み、そしてばね２１を取り付けて針固定台２２の大直径嵌め縁２２１をばねに当て付ける。更に入れ替え可能な針２０を針固定台２２前端の孔２２２に嵌め付け、筆身にある複数の弾性嵌めほぞ１３１を前蓋１２内壁の凹陥長溝１２３内に組み込み定位置し、全体は本発明の採血針ペンに組み合わせられる。
【００１５】
そこで、図６に示すように採血針ペンを購入した使用者は先ずメモ用紙３０に使用者の氏名標示３１及び関連する使用期日、または測定日、データを書き入れた後、そのメモ用紙を曲げて透明筆身１３に設けられているジャケット１３３に挿入すれば採血針使用者を判明することが可能となる。
【００１６】
図４に示すように、採血を行う場合、先ず前端の防塵キャップ１１を抜き出し、続いて採血針ペン１０の前端カバーを人の指先（またはその他採血に適する個所の皮膚表面）に接触させる。透明筆身１３を押し込み、この場合筆身前端の各弾性嵌めほぞ１３１は凹陥長溝１２３に沿って移動し、かつ間接的に針固定台２２を通じて下へ押す力は針２０に伝える。針は皮膚から刺し入れて採血し、針を抜き出したら内部に設けられてあるばね２１の弾力によって前端蓋１２を復帰し、針をしまって他人を傷つけないようにする。
【００１７】
特に説明するのは、本実施例採血針１０の透明筆身１３の中央は中空部１３５であり、そこに薬４０を入れていつでも取り出して服用できるようにすることも可能である。後端蓋１４の複数の弾性ほぞ１４１と透明筆身１３末端の嵌め縁１３４の嵌め具合は中程度に設定し、いつでも後端蓋１４を抜き出して薬を取り出せるようにすればよい。
【００１８】
また図５に示すように、本実施例は前記技術の思想理念に基ずき、後端蓋１４ａに外ねじ１４２が設けられ、かつ透明筆身１３ａの末端に内ねじ１３６が設けられる。このような変化は同じく採血使用者の氏名が書かれているメモ用紙３０を曲げて透明筆身に設けられているジャケット内に挿入し、はっきりした標示判明が可能である。
【００１９】
図７に示すのは本発明の別の実施例を組合せた後の断面図である。図面に示すように、その後端蓋１４ａにはペン挟み１４３が一体に成型され、外出旅行時はポケットまたはバッグの中に挟むことが可能である。かつ透明筆身１３中央の中空部１３５には予備針４１及び消毒綿４２を入れることが可能である。このように採血針ペン１０の使用は更に針の交換、及び採血後の針の清潔拭取りが随時行えるため使用の実用性が得られる。
【図面の簡単な説明】
【００２０】
【図１】本発明の一実施例による採血針ペンの使用者氏名の標示方法及びその製品を示す立体外観図である。
【図２】本発明の一実施例による採血針ペンの使用者氏名の標示方法及びその製品を示す構造分解図である。
【図３】本発明の一実施例による採血針ペンの使用者氏名の標示方法及びその製品を示す組合せ断面図である。
【図４】本発明の一実施例による採血針ペンの使用者氏名の標示方法及びその製品による採血動作の意表図である。
【図５】本発明の別の実施例による採血針ペンの使用者氏名の標示方法及びその製品を示す構造分解図である。
【図６】本発明の別の実施例による採血針ペンの使用者氏名の標示方法及びその製品のメモ用紙を展開した意表図である。
【図７】本発明の別の実施例による採血針ペンの使用者氏名の標示方法及びその製品を示す組合せ断面図である。
【符号の説明】
【００２１】
１０  採血針ペン、１１  防塵キャップ、１２  前蓋、１３  透明筆身、１４  後端蓋、２０  針、２１  ばね、２２  針固定台、３０  メモ用紙、１１１  凹溝、１１２  粗い紋筋、１２１  環凸縁、１２２  すかし孔、１２３  凹陥長溝、１３１  弾性ほぞ、１３２  魚眼孔、１３３  ジャケット、１３４  嵌め縁、１３５  中空部、１３６  内ねじ、１４１  弾性ほぞ、２２１  大直径嵌め縁、２２２  前端の孔２２２
【図１】
2005160634.tif 000003
【図２】
2005160634.tif 000004
【図３】
2005160634.tif 000005
【図４】
2005160634.tif 000006
【図５】
2005160634.tif 000007
【図６】
2005160634.tif 000008
【図７】
2005160634.tif 000009